(57)【要約】【課題】簡単にデータを関連するファイル単位でコピー先フォルダに格納・分類する。【解決手段】ストレージ装置１は、ＤＳＣ２とデータの送受を行うＩ／Ｆ部２１と、Ｉ／Ｆ部２１からのデータをドライバ２２を介して記録媒体２３に記録する記録制御部２４と、記録制御部２４に対してダイレクトコピーを指示するコピー開始ＳＷ３とを備えて構成される。ＤＳＣ２に格納されているコピー元のファイルは、連続した日時のファイルが、該連続した日時のファイルのうちの最新のファイル作成日時を作成日時としたコピー先フォルダにまとめられてコピーされる。【選択図】  図３
2005018268.tif 000002
【特許請求の範囲】
【請求項１】
データ記録再生装置に所定のファイルシステムにより記録されるデータファイルをダイレクトコピーして記録・保存するストレージ装置において、
前記データファイルを該データファイルの作成日時に基づくファイル群に分類するデータファイル分類手段と、
前記データファイル分類手段が分類したファイル群単位で前記データファイルをコピーするためのコピー先フォルダを作成するフォルダ作成手段と、
前記データファイル分類手段が分類したファイル群単位で前記データファイルを前記コピー先フォルダにコピーするファイル格納手段と
前記ファイル群単位で前記データファイルをコピーした前記コピー先フォルダの作成日時情報を設定するフォルダ日時設定手段と
を備えたことを特徴とするストレージ装置。
【請求項２】
前記フォルダ日時設定手段は、前記ファイル群単位で前記データファイルのうち最も新しく作成されたデータファイルの作成日時を前記コピー先フォルダの作成日時情報とする
ことを特徴とする請求項１に記載のストレージ装置。
【請求項３】
前記フォルダ日時設定手段は、前記ファイル群単位で前記データファイルのうち最も古く作成されたデータファイルの作成日時を前記コピー先フォルダの作成日時情報とする
ことを特徴とする請求項１に記載のストレージ装置。
【請求項４】
前記データファイル分類手段が分類するファイル群の分類方法を指定する分類方法指定手段
を備えたことを特徴とする請求項１に記載のストレージ装置。
【請求項５】
前記フォルダ日時設定手段が設定する前記コピー先フォルダの作成日時情報の設定方法を指定する日時設定方法指定手段
を備えたことを特徴とする請求項１または４に記載のストレージ装置。
【請求項６】
データ記録再生装置に所定のファイルシステムにより記録されるデータファイルをダイレクトコピーして記録・保存するダイレクトコピー方法において、
前記データファイルを該データファイルの作成日時に基づくファイル群に分類するデータファイル分類工程と、
前記データファイル分類工程が分類したファイル群単位で前記データファイルをコピーするためのコピー先フォルダを作成するフォルダ作成工程と、
前記データファイル分類工程が分類したファイル群単位で前記データファイルを前記コピー先フォルダにコピーするファイル格納工程と
前記ファイル群単位で前記データファイルをコピーした前記コピー先フォルダの作成日時情報を設定するフォルダ日時設定工程と
を備えたことを特徴とするダイレクトコピー方法。
【発明の詳細な説明】
【０００１】
【発明の属する技術分野】
本発明は、データ記録再生装置に記録されるデータをダイレクトコピーして記録・保存するストレージ装置及びダイレクトコピー方法に関する。
【０００２】
【従来の技術】
従来、デジタルスチルカメラにより収録された画像データや音声データを、カメラに内蔵されたメモリやメモリカードとは別の記録媒体（ＭＯ、ＣＤ−Ｒ、ＣＤ−ＲＷなど）に記録するための専用のストレージ装置においては、撮影した日付や撮影に使用した機種などに関わらず、同時に選択された複数のデータは同一のフォルダ内に格納して記録していた。その際、各フォルダは、撮影した日付や撮影に使用した機種などが共通もしくは関連するデータと無関係に生成されていた。
【０００３】
従来のストレージ装置においては、撮影した日付や撮影に使用した機種が異なる場合でも、同時に選択された複数のデータは同一のフォルダ内に格納して記録されていたため、記録媒体の容量が大きくなればなるほど、記録後に希望するデータを探し出し難くなるという問題があった。
【０００４】
そこで、例えば特開２００１−５７０５６号公報では、記録するデータに添付される属性、例えば作成日付情報を抽出してフォルダを分類するストレージ装置を提案している。
【０００５】
【特許文献１】
特開２００１−５７０５６号公報
【０００６】
【発明が解決しようとする課題】
しかしながら、一般に、デジタルスチルカメラ等では、旅行や各種セレモニー等イベントがある場合に用いられるのが普通であるが、これらイベント、特に旅行では２日以上にわたり、この際に作成されたファイルは相互に強い関連性があるため、記録する際には何らかの形態で関連付けることで検索を容易にすることが望まれるが、従来のストレージ装置においては、コピー先フォルダに単に日付毎にコピーすることとなるため、コピーされたファイルをイベント単位で検索することが難しいといった問題がある。
【０００７】
本発明は、上記事情に鑑みてなされたものであり、簡単にデータを関連するファイル単位でコピー先フォルダに格納・分類するストレージ装置を提供することを目的としている。
【０００８】
【課題を解決するための手段】
本発明のストレージ装置は、データ記録再生装置に所定のファイルシステムにより記録されるデータファイルをダイレクトコピーして記録・保存するストレージ装置において、前記データファイルを該データファイルの作成日時に基づくファイル群に分類するデータファイル分類手段と、前記データファイル分類手段が分類したファイル群単位で前記データファイルをコピーするためのコピー先フォルダを作成するフォルダ作成手段と、前記データファイル分類手段が分類したファイル群単位で前記データファイルを前記コピー先フォルダにコピーするファイル格納手段と前記ファイル群単位で前記データファイルをコピーした前記コピー先フォルダの作成日時情報を設定するフォルダ日時設定手段とを備えて構成される。
【０００９】
【発明の実施の形態】
以下、図面を参照しながら本発明の実施の形態について述べる。
【００１０】
図１ないし図５は本発明の第１の実施の形態に係わり、図１はストレージ装置によるダイレクトコピー時の接続形態を示す図、図２は図１のＤＳＣ（デジタルスチルカメラ）の背面構成を示す図、図３は図１のストレージ装置及びＤＳＣの構成を示す図、図４は図３の記録制御部の処理の流れを説明するフローチャート、図５は図４の処理を説明する図である。
【００１１】
図１に示すように、本実施の形態のストレージ装置１は、日時情報を有するデジタルスチルカメラ（以下、ＤＳＣ）２と接続され、コピー開始ＳＷ３を押下することでＤＳＣ２で撮影された画像データをダイレクトコピーするようになっている。図２に示すように、ＤＳＣ２の背面には、撮影した画像を表示したり各種設定画面を表示する液晶表示部４が設けられている。
【００１２】
図３に示すように、ＤＳＣ２は、画像を撮像する撮像部１１と、撮像した画像を画像処理する画像処理部１２と、画像処理した画像や各種設定画面を表示する前記液晶表示部４と、撮影や各種設定を行う操作ＳＷ１３と、画像処理した画像データを所定のファイルシステム（ＦＡＴ３２等）で記録する記録部１４と、ストレージ装置１とデータの送受を行うＩ／Ｆ部１５とを備え、画像処理部１２は内蔵するタイマー１６により日時情報を有して記録部１４でのデータの管理を行っている。
【００１３】
一方、ストレージ装置１は、ＤＳＣ２とデータの送受を行うＩ／Ｆ部２１と、Ｉ／Ｆ部２１からのデータをドライバ２２を介して記録媒体２３に記録する記録制御部２４と、記録制御部２４に対してダイレクトコピーを指示するコピー開始ＳＷ３とを備えて構成される。記録制御部２４は、ＤＳＣ２の画像処理部１２から送られるファイル／フォルダに関し、所定のファイルシステムにより生成された該ファイル／フォルダの作成日時を抽出し、ダイレクトコピーのコピー先フォルダの作成日時情報とする。
【００１４】
このように構成された本実施の形態の作用について説明する。
【００１５】
図４に示すように、ストレージ装置１の記録制御部２４は、ステップＳ１においてコピー開始ＳＷ３が押下されると、ステップＳ２においてＤＳＣ２からフォルダＤＣＩＭ内のファイル（￥ＤＣＩＭ￥＃￥＃．＃）を１つリードする。
【００１６】
そして、ステップＳ３において記録媒体２３内に読み込んだファイルと同一日時のフォルダがあるかどうか判断する。
【００１７】
同一日時のフォルダがない場合は、ステップＳ４においてコピー先フォルダを作成し、フォルダ作成日時を読み込んだファイルの日時とし、ステップＳ７に進む（ステップＳ４：フォルダ作成機能）。
【００１８】
同一日時のフォルダがある場合は、ステップＳ５においてファイルの日時とフォルダの日時とを比較し、ファイルの日時がフォルダの日時より新しい場合は、ステップＳ６においてコピー先フォルダの作成日時をファイルの日時に変更してステップＳ７に進み、ファイルの日時がフォルダの日時より新しくない場合はそのままステップＳ７に進む（ステップＳ５，Ｓ６：データファイル分類機能）。
【００１９】
そして、ステップＳ７においてファイルをコピー先フォルダにコピーし（ステップＳ７：ファイル格納機能）、ステップＳ８において全てのファイルのコピーが終了するまでステップＳ２に戻り、ステップＳ２〜Ｓ８の処理を繰り返す。
【００２０】
このようにして全てのファイルがコピー先フォルダにコピーされると、ステップＳ９で連続した日付のコピー先フォルダがあるかどうか判断し、連続した日付のコピー先フォルダがある場合にはステップＳ１０（フォルダ日時設定機能）において古い日時のコピー先フォルダ内のファイルを最新のコピー先フォルダ内に移動し、古いコピー先フォルダを削除してステップＳ１１に進み、ない場合はそのままステップＳ１１に進む（ステップＳ９．Ｓ１０：フォルダ日時設定機能）。
【００２１】
そして、ステップＳ１１においてＤＳＣ２にコピー先フォルダのフォルダ名及びフォルダ作成日時を送信し、液晶表示部４に表示させて処理を終了する。
【００２２】
このような処理により、図５に示すように、ＤＳＣ２に格納されているコピー元のファイルは、連続した日時のファイルが、該連続した日時のファイルのうちの最新のファイル作成日時を作成日時としたコピー先フォルダにまとめられてコピーされる。
【００２３】
図５の例では、２００３年１月１日〜２００３年１月３日に作成されたファイル（＝Ｐ１０１０００１．ＪＰＧ，Ｐ１０１０００２．ＪＰＧ，Ｐ１０２０００１．ＪＰＧ，Ｐ１０３０００１．ＪＰＧ，Ｐ１０３０００２．ＪＰＧ）が最新のファイル（＝ＪＰＧ，Ｐ１０３０００２．ＪＰＧ）の日時を作成日時としたコピー先フォルダ（＝１０１ＯＬＹＭＰ）に格納され、一日おいた２００３年１月５日に作成されたファイル（＝Ｐ１０５０００１．ＪＰＧ）が該ファイル（＝Ｐ１０５０００１．ＪＰＧ）の日時を作成日時としたコピー先フォルダ（＝１０２ＯＬＹＭＰ）に格納された状態を示す。
【００２４】
このように本実施の形態では、簡単にデータを関連するファイル単位（連続した日時）でコピー先フォルダに格納・分類することが可能である。
【００２５】
図６ないし図９は本発明の第２の実施の形態に係わり、図６は記録制御部の処理の流れを説明するフローチャート、図７は図６の処理を説明する第１の図、図８は図６の処理を説明する第２の図、図９は図６の処理を説明する第３の図である。
【００２６】
第２の実施の形態は、第１の実施の形態とほとんど同じであるので、異なる点のみ説明し、同一の構成には同じ符号をつけ説明は省略する。なお、本実施の形態では、ＤＳＣ２及びストレージ装置１はＰＴＰ（Ｐｉｃｔｕｒｅ  Ｔｒａｎｓｆｅｒ  Ｐｒｏｔｏｃｏｌ）によりデータの送受を行うものとする。
【００２７】
本実施の形態では、図６に示すように、ステップＳ２１においてＤＳＣ２の液晶表示部４でストレージ装置１にコピーするファイルが選択を待つ。ステップＳ２１では、ファイルの選択の他に、液晶表示部４に図７に示すようなコピー先フォルダにコピーするファイルのまとめ方を設定する第１の設定画面５０を表示することで、カーソル５１を操作ＳＷ１３により移動させユーザにまとめ方を選択させた後、さらに晶表示部４に図８に示すようなコピー先フォルダの日時の日時の決定方法を選択する第２の設定画面を表示することで、カーソル５１を操作ＳＷ１３によりユーザにフォルダ日時の日時の決定方法を選択させる。
【００２８】
以下、説明の簡略化のため、コピー先フォルダにコピーするファイルのまとめ方を「連続した日時」、フォルダ日時の日時の決定方法を「最も古いファイルの日時」とした場合を例に説明する。
【００２９】
ステップＳ２１におけるファイル選択、まとめ方選択、日時選択がなされ、ステップＳ２２において操作ＳＷ１３によりコピー実行要求がなされると、ステップＳ２３において選択された全てのファイル、フォルダのまとめ方、日時の決定方法を含む、図９に示すようなコピー要求リストをストレージ装置１に送信し、ステップＳ２に進む。
【００３０】
ステップＳ２〜Ｓ１１の処理は第１の実施の形態と同じなので、説明は省略する。但し、本実施の形態のステップＳ５では、ファイルの日時とフォルダの日時とを比較し、ファイルの日時がフォルダの日時より古い場合は、ステップＳ６においてコピー先フォルダの作成日時をファイルの日時に変更してステップＳ７に進み、ファイルの日時がフォルダの日時より古くない場合はそのままステップＳ７に進む。また、本実施の形態のステップＳ１０では、新しい日時のコピー先フォルダ内のファイルを古いコピー先フォルダ内に移動し、新しいコピー先フォルダを削除してステップＳ１１に進み、ない場合はそのままステップＳ１１に進む。
【００３１】
このような処理により、図９に示すように、ＤＳＣ２に格納されているコピー元のファイルは、ユーザにより選択されたファイルがファイルＩＤ「０００００００３」（＝Ｐ１０１０００１．ＪＰＧ），ファイルＩＤ「０００００００６」（＝Ｐ１０２０００１．ＪＰＧ），ファイルＩＤ「０００００００９」（＝Ｐ１０３０００２．ＪＰＧ），ファイルＩＤ「００００００１１」（＝Ｐ１０５０００１．ＪＰＧ）とすると、上述したように、ファイルのまとめ方として「連続した日時」、フォルダ日時の日時の決定方法として「最も古いファイルの日時」が選択されているので、連続した日時のファイルＩＤ「０００００００３」（＝Ｐ１０１０００１．ＪＰＧ），ファイルＩＤ「０００００００６」（＝Ｐ１０２０００１．ＪＰＧ），ファイルＩＤ「０００００００９」（＝Ｐ１０３０００２．ＪＰＧ）のファイルが１つにまとめられ、最も古いファイルの日時のファイル（＝Ｐ１０１０００１．ＪＰＧ）の日時を作成日時としたコピー先フォルダ（＝１０１ＯＬＹＰＭ）に格納され、ファイルＩＤ「００００００１１」（＝Ｐ１０５０００１．ＪＰＧ）が該ファイル（＝Ｐ１０５０００１．ＪＰＧ）の日時を作成日時としたコピー先フォルダ（＝１０２ＯＬＹＭＰ）に格納される。
【００３２】
このように本実施の形態では、第１の実施の形態の効果に加え、ユーザが任意にファイルのまとめ方やフォルダ日時の作成方法を選択できるので、ユーザの要望に応じたダイレクトコピーのフォルダ管理が可能となる。
【００３３】
なお、上記実施の形態では、ファイルのコピーが終了してから連続した日のフォルダをまとめたが、コピーを実行しながら日付の判断を行い、連続した日のファイルはコピー時に同じフォルダにコピーするようにしてもよい。
【００３４】
本発明は、上述した実施の形態に限定されるものではなく、本発明の要旨を変えない範囲において、種々の変更、改変等が可能である。
【００３５】
【発明の効果】
以上説明したように本発明によれば、簡単にデータを関連するファイル単位でコピー先フォルダに格納・分類することができるという効果がある。
【図面の簡単な説明】
【図１】本発明の第１の実施の形態に係るストレージ装置によるダイレクトコピー時の接続形態を示す図
【図２】図１のＤＳＣ（デジタルスチルカメラ）の背面構成を示す図
【図３】図１のストレージ装置及びＤＳＣの構成を示す図
【図４】図３の記録制御部の処理の流れを説明するフローチャート
【図５】図４の処理を説明する図
【図６】本発明の第２の実施の形態に係る記録制御部の処理の流れを説明するフローチャート
【図７】図６の処理を説明する第１の図
【図８】図６の処理を説明する第２の図
【図９】図６の処理を説明する第３の図
【符号の説明】
１…ストレージ装置
２…ＤＳＣ（デジタルスチルカメラ）
３…コピー開始ＳＷ
４…液晶表示部
１１…撮像部
１２…画像処理部
１３…操作ＳＷ
１４…記録部
１５，２１…Ｉ／Ｆ部
１６…タイマー
２２…ドライバ
２３…記録媒体
２４…記録制御部
【図１】
2005018268.tif 000003
【図２】
2005018268.tif 000004
【図３】
2005018268.tif 000005
【図４】
2005018268.tif 000006
【図５】
2005018268.tif 000007
【図６】
2005018268.tif 000008
【図７】
2005018268.tif 000009
【図８】
2005018268.tif 000010
【図９】
2005018268.tif 000011